(57)【要約】【課題】携帯用に折りたたむ作業が容易で、しかも携帯時には極めて薄くなり、本格的な手提げ袋として使用できる耐久性を備えた携帯用手提げ袋を提供する。【解決手段】合成樹脂製の袋体１に一対のテープ状の取っ手２を設けた手提げ袋を形成する。手提げ袋を折りたたんだ状態で収納する携帯用の小袋３を設ける。袋体１の幅を二つ折にしたときに各取っ手２が重なるように設ける。この重なって袋体１から突出する取っ手２の長さが前記小袋３の長さ未満となるように設ける。前記袋体１は、開口部１Ａ内側に折込片１Ｄを設けて二重構造とし、該折込片１Ｄと袋体１側面とに前記取っ手２の長手両端部を溶着する。袋体１の幅を四つ折にしたときに、この幅の袋体１を収納せしめる開口部３Ａを有する小袋３を設ける。この小袋３は、袋体１の開口部１Ａ内側に設ける。【選択図】図１
0003135399.tif 000002
【実用新案登録請求の範囲】
【請求項１】
合成樹脂製の袋体に合成樹脂製の一対の取っ手を設けた手提げ袋と、該手提げ袋を折りたたんだ状態で収納する携帯用の小袋とからなる携帯用手提げ袋において、取っ手はテープ状を成し、袋体の幅を二つ折にしたときに各取っ手が重なる位置に設けられ、袋体の開口部を四つ折にしたときに、この四つ折幅の袋体を収納せしめる開口部を有する小袋が、袋体の開口部内側に設けられたことを特徴とする携帯用手提げ袋。
【請求項２】
前記小袋は、前記袋体の開口部の幅を四つ折にした状態で挿入せしめる開口部と、袋体の開口部から底部までの長さを複数に折りたたんだ状態で収納せしめる長さとを有し、袋体の上端内側に小袋の開口部外側と袋体の開口部内側とを揺動自在に連結する連結片を設けた請求項１記載の携帯用手提げ袋。
【請求項３】
前記袋体は、開口部内側に折込片を設けて開口部を二重構造とし、該折込片と袋体側面と前記取っ手の長手両端部とを一体に溶着した請求項１又は２記載の携帯用手提げ袋。
【請求項４】
前記前記取っ手は、前記袋体の開口部を二つ折にしたときに各取っ手が一つに重なるように設けられ、この重なった取っ手の長さを前記小袋の長さ以内に設けた請求項１乃至３いずれか記載の携帯用手提げ袋。
【請求項５】
前記小袋は、前記手提げ袋使用時に、前記袋体の開口部内側に配設された収納ポケットとして使用される請求項１乃至４いずれか記載の携帯用手提げ袋。
【考案の詳細な説明】
【技術分野】
【０００１】
本考案は、携帯時に極めて薄くなり、しかも、使用時において、本格的な手提げ袋として使用できる携帯用手提げ袋に関するものである。
【背景技術】
【０００２】
地球環境問題に対し、個人レベルでも可能な行動をとるべく、例えば、スーパーのレジ袋を使用せず、マイバックなどと称する買い物袋や買い物かごを持参する者が増加している。
【０００３】
このような需要に対し、携帯用に折りたたむことができる買い物袋等が特許文献１及び特許文献２に記載されている。特許文献１には、折りたたんだ状態で衣類に着脱自在に取り付ける取付式買い物袋が記載されている。この買い物袋では、衣服に装着する取付け部材を携帯用の袋側面に設け、使用時において展開した手提げ袋に、第１取手と第２取手とからなる二つの取手を設け、これらの取手を組み合わせて使用するものである。
【０００４】
また、特許文献２では、折りたたんだ袋体を宣伝広告に利用する広告宣伝用折畳手提袋が提案されている。この折畳手提袋によると、手提げ袋をポケットティッシュ状に折りたたみ、この折りたたみ状態を一時的に固定する接着台紙を設けたものである。
【特許文献１】特開２００２−３０８２９０号公報
【特許文献２】特開２００５−２３１７３１号公報
【考案の開示】
【考案が解決しようとする課題】
【０００５】
特許文献１に示される取付式買い物袋では、携帯時に衣服に取り付ける取付け部材や、手提げ袋用の二つの取手などを有しているので、携帯時に手提げ袋を折りたたんだときに、これらの取付け部材や二つの取手などが嵩張ってしまうおそれがあった。この種の携帯用品は、携帯時にできるだけコンパクトにすることが望ましく、特に、携帯用の手提げ袋などは、薄く折りたたむことで嵩張らずに携帯できるものが望まれている。
【０００６】
特許文献２に示される折畳手提袋においても、折りたたんだ状態を固定する接着台紙を設けているので、この接着台紙が携帯時に嵩張る原因になっている。
【０００７】
また、携帯時の手提げ袋をコンパクトにしようとするほど、手提げ袋本来の機能性が低下するおそれがある。すなわち、手提げ袋の取っ手を嵩張らないようにするには、レジ袋のように袋体の側面に取っ手用の孔を開穿したものが適当である。ところが、このような孔状の取っ手では、極めて変形しやすいために、再使用することが困難になる。また、特許文献１のように、紐状の取っ手を使用する場合、特に合成樹脂製の袋体との相性が悪く、連結部分から袋対が破れてしまうおそれがある。仮に、紐状取っ手の連結部分に補強板等を当てて強度を高めたとしても、今度は、補強した連結部分が嵩張ってしまう不都合が生じる。さらに、丈夫な構造の取っ手を設けると、コンパクトに折りたたむことが困難になるものであった。
【０００８】
一方、マイバック等として使用される手提げ袋は、レジ袋に代えて繰り返し使用することに意義がある。そこで、携帯用手提げ袋においても、携帯性と共に、繰り返して使用することができる耐久性を兼ね備えた携帯用手提げ袋の提供が望まれている。更に、コンパクトに折りたたんで携帯時するので、使用後の手提げ袋を再び折りたたむ作業も簡単な手提げ袋が求められていた。
【０００９】
そこで本考案は、上述の課題を解消すべく案出されたもので、携帯用に折りたたむ作業が極めて簡単で、しかも携帯時には極めて薄くなり、使用時において本格的な手提げ袋として使用できる耐久性を備えた携帯用手提げ袋の提供を目的とするものである。
【課題を解決するための手段】
【００１０】
本考案の第１の手段は、合成樹脂製の袋体１に合成樹脂製の一対の取っ手２を設けた手提げ袋と、該手提げ袋を折りたたんだ状態で収納する携帯用の小袋３とからなる携帯用手提げ袋において、取っ手２はテープ状を成し、袋体１の幅を二つ折にしたときに各取っ手２が重なる位置に設けられ、袋体１の開口部１Ａを四つ折にしたときに、この四つ折幅の袋体１を収納せしめる開口部３Ａを有する小袋３が、袋体１の開口部１Ａ内側に設けられたことにある。
【００１１】
第２の手段の前記小袋３は、前記袋体１の開口部の幅を四つ折にした状態で挿入せしめる開口部３Ａと、袋体１の開口部１Ａから底部１Ｂまでの長さを複数に折りたたんだ状態で収納せしめる長さとを有し、袋体１の上端内側に小袋３の開口部３Ａ外側と袋体１の開口部１Ａ内側とを揺動自在に連結する連結片４を設けている。
【００１２】
第３の手段の前記袋体１は、開口部１Ａ内側に折込片１Ｄを設けて開口部１Ａを二重構造とし、該折込片１Ｄと袋体１側面と前記取っ手２の長手両端部とを一体に溶着したものである。
【００１３】
第４の手段の前記取っ手２は、前記袋体１の開口部１Ａを二つ折にしたときに各取っ手２が一つに重なるように設けられ、この重なった取っ手２の長さを前記小袋３の長さ以内に設ける。
【００１４】
第５の手段の前記小袋３は、前記手提げ袋使用時に、前記袋体１の開口部１Ａ内側に配設された収納ポケットとして使用されることを課題解消のための手段とする。
【考案の効果】
【００１５】
本考案の請求項１により、折りたたみ収納作業が極めて簡単になる。すなわち、取っ手２は合成樹脂製のテープ状を成し、袋体１の幅を二つ折にしたときに各取っ手２が重なる位置に設けられているので、袋体１の幅を二つ折にするだけの作業で、袋体１と取っ手２とが一つにまとまる。更に、袋体１の幅を更に四つ折にしたときに、この四つ折幅の袋体１を収納せしめる小袋３が、袋体１の開口部１Ａ内側に設けられているので、袋体１を折りたたむ手順の延長で小袋３に収納することができる。したがって、作業者は、袋体１の小袋３を折りたたむ行為のみで、取っ手２や袋体１を収納し易い状態にすることができ、袋体１の収納作業が極めて簡単になるものである。                
【００１６】
しかも、取っ手２として、特に、合成樹脂製のテープ状物を使用することで、手提げ袋を使用している際に、手への食い込みを少なくし、しかも、強度的に高いものが安価に提供できる。また、このテープ状物の取っ手２によると、折り重ねたることも折りたたむことも極めて容易で、嵩張らない効果もある。
【００１７】
請求項２によると、小袋３は、前記袋体１の開口部１Ａを四つ折にした状態で挿入せしめる開口部３Ａと、袋体１の開口部１Ａから底部１Ｂまでの長さを複数に折りたたんだ状態で収納せしめる長さとを有しているから、袋体１を薄くコンパクトに収納することができる。しかも、袋体１の上端内側に小袋３の開口部３Ａ外側と袋体１の開口部１Ａ内側とを揺動自在に連結する連結片４を設けたことから、折りたたんだ袋体１を小袋３に収納する作業も容易である。
【００１８】
請求項３では、開口部１Ａ内側に折込片１Ｄを設けて開口部１Ａを二重構造とし、該折込片１Ｄと袋体１側面と前記取っ手２の長手両端部とを一体に溶着しているので、耐久性に優れ、本格的な手提げ袋として使用できる。
【００１９】
請求項４によると、取っ手２は、前記袋体１の開口部１Ａを二つ折にしたときに各取っ手２が一つに重なるように設けられ、この重なった取っ手２の長さを前記小袋３の長さ以内に設けているので、折りたたんだ袋体１と重なった取っ手２とをひとつに重ねて収納できるから、携帯時に極めて薄くすることができる。
【００２０】
請求項５の如く、小袋３は、前記手提げ袋使用時に、前記袋体１の開口部１Ａ内側に配設された収納ポケットとして使用できるように設けることで、手提げ袋としての利便性も兼ね備えている。
【００２１】
このように本考案によると、携帯用に折りたたむ作業が極めて簡単で、しかも携帯時には極めて薄くなり、使用時において本格的な手提げ袋として使用できる耐久性を備えているなどといった実用上有益な種々の効果を奏するものである。
【考案を実施するための最良の形態】
【００２２】
本考案の最良の形態は、合成樹脂製の袋体１に一対のテープ状の取っ手２を設けた手提げ袋を形成する。手提げ袋を折りたたんだ状態で収納する携帯用の小袋３を設ける。袋体１の幅を二つ折にしたときに各取っ手２が重なるように設ける。この重なって袋体１から突出する取っ手２の長さが前記小袋３の長さ以内となるように設ける。前記袋体１は、開口部１Ａ内側に折込片１Ｄを設けて二重構造とし、該折込片１Ｄと袋体１側面と前記取っ手２の長手両端部とを一体に溶着する。袋体１の開口部１Ａを四つ折にしたときに、この幅の袋体１を収納せしめる開口部３Ａを有する小袋３を設ける。この小袋３は、袋体１の開口部１Ａ内側に設ける。袋体１の上端内側に小袋３の開口部３Ａ外側と袋体１の開口部１Ａ内側とを揺動自在に連結する連結片４を設けることで、当初の目的を達成するものである。
【実施例】
【００２３】
本考案手提げ袋の基本構成は、それぞれ合成樹脂材にて形成された袋体１と取っ手２、小袋３にて構成するものである。
【００２４】
袋体１に一対の取っ手２を設けて手提げ袋を形成し、この手提げ袋に小袋３を装着している（図１参照）。図示の袋体１は、開口部１Ａから延長形成される前後側面部１Ｂと、底面部１Ｃとからなり、この底面部１Ｃが広がるように設けたものである。このような袋体１によると、折りたたみやすく、また、袋体１の収納量も多くすることができる。また、図示していないが、前後側面部１Ｂと共に左右側面部を設けて、所謂、ガゼット袋状に形成することも可能である。
【００２５】
また、袋体１は、開口部１Ａ内側に折込片１Ｄを設けて二重構造とし、開口部１Ａの強度を高めている（図２参照）。そして、この折込片１Ｄと前後側面部１Ｂとに後述する取っ手２の長手両端部を一体にして溶着するものである。
【００２６】
取っ手２は、合成樹脂製のテープ状物で形成されている。この取っ手２は、袋体１の幅すなわち開口部１Ａを二つ折にしたときに、各取っ手２が重なる位置に設けている（図３参照）。この重なった取っ手２が袋体１から突出する長さは、後述する小袋３の長さ未満となるように設けている。図示の取っ手２は、一枚のテープ状の取っ手２を使用しているが、フィルムやシートを三つ折状にしたテープなど、複数枚折り重ねた取っ手２を使用することも可能であり、取っ手２の厚み、形状等は、小袋３に収納できる範囲で任意に変更することができる。
【００２７】
小袋３は、手提げ袋を折りたたんだ状態で収納する携帯用の袋である。この小袋３の開口部３Ａは、袋体１の幅を四つ折にした状態で挿入できる大きさに設けている（図４参照）。すなわち、袋体１開口部１Ａを四つ折にした幅は、小袋３の開口部３Ａに挿入可能な幅になっている。そして、四つ折にした袋体１を更に、袋体１の開口部１Ａから底部１Ｂまでにかけて複数に折りたたみ、小袋３内に収納するものである。図示例では、袋体１の開口部１Ａから底部１Ｂまでの長さを三つに折りたたんだ状態で収納せしめる長さに小袋３を設けているが、小袋３の長さや袋体１のサイズなどに応じて折りたたむものである。
【００２８】
この小袋３は、袋体１の開口部１Ａ内側に設けられている（図１参照）。このとき、袋体１の上端内側に小袋３の開口部３Ａ外側と袋体１の開口部１Ａ内側とを揺動自在に連結する連結片４を設けることで、袋体１の収納作業を容易にすることができる（図６参照）。小袋３と袋体１との連結は、熱シール加工や両面テープを使用するなど、任意の接合手段を選択できるものである。また、この小袋３は、袋体１を手提げ袋として使用する際に、袋体１の開口部１Ａ内側に配設される。そのため、この小袋３を手提げ袋の収納ポケットとして使用することが可能である（図１参照）。
【００２９】
次に、袋体１を小袋３に収納する手順は次のとおりである。まず袋体１から小袋３を引き出し、二つの取っ手２を重ねる（図２参照）。次に、袋体１の開口部中央から左右に折りたたむ（図３参照）。このとき、取っ手２はあたかも１本の帯状に重なり合うものである。そして、更に左右に折りたたんで、開口部１Ａを四つ折状にする（図４参照）。そうすると、取っ手２は、袋体１から突出した部分が小袋３の上に重なり、そのまま小袋３内に収納することが可能になる。そのままの状態で袋体１の長手側縁を三つ折にすると、袋体１が小袋３内に収納可能な大きさになる（図５参照）。この三つ折の袋体１を、小袋３の挿通孔３Ａから小袋３内部に収納する際に、取っ手２を重ねて収納する（図６参照）。このように袋体１を折りたたむ手順の延長作業で、簡単に小袋３に収納することができるものである。
【００３０】
尚、図示例の各構成は、本考案の一実施例に過ぎず、袋体１や取っ手２、小袋３等の寸法やデザイン、形状の変更などは任意に選択できるもので、本考案の要旨を変更しない範囲において自由に変更することができるものである。
【図面の簡単な説明】
【００３１】
【図１】本考案の一実施例を示し、使用状態を示す斜視図である。
【図２】本考案の袋体から小袋を引き出した状態を示す正面図である。
【図３】本考案の袋体の幅を二つ折りにした状態を示す正面図である。
【図４】本考案の袋体の幅を四つ折りにした状態を示す正面図である。
【図５】本考案の袋体の長さを三つ折りにした状態を示す正面図である。
【図６】本考案の小袋に袋体と取っ手を収納した状態を示す正面図である。
【符号の説明】
【００３２】
１  袋体
１Ａ  開口部
１Ｂ  前後側面部
１Ｃ  底面部
１Ｄ  折込片
２  取っ手
３  小袋
３Ａ  開口部
４  連結片
【図１】
0003135399.tif 000003
【図２】
0003135399.tif 000004
【図３】
0003135399.tif 000005
【図４】
0003135399.tif 000006
【図５】
0003135399.tif 000007
【図６】
0003135399.tif 000008